(57)【要約】    【課題】  バイブレータ１０の振動部１を確実に照明でき、振動部１の挿入長の推定も容易に行うことができるようにする。    【解決手段】  バイブレータ１０は、先端側の振動部１と、振動部１に防振継手２を介して接続されて振動部１を支持する継手パイプ３と、継手パイプ３の後端部に接続される可撓性の外部ホース５と、継手パイプ３回りに取付けられ、先端側に向かって、継手パイプ３の軸線を中心とする円錐状の光ＬＴを発する照明部４と、を含んで構成される。振動部１を打設中のコンクリート内に挿入して、コンクリートを締め固める工程中にて、打設中のコンクリート表面に照明部４により形成される照射円の径Ｄを検知し、これに基づいて、打設中のコンクリート内への振動部１の挿入長Ｌ１を推測する。【選択図】  図３
2020122360.tif 000002
【特許請求の範囲】
【請求項１】
コンクリート締め固め用バイブレータであって、
先端側の振動部と、
前記振動部に防振継手を介して接続されて前記振動部を支持する継手パイプと、
前記継手パイプの後端部に接続される可撓性の外部ホースと、
前記継手パイプ回りに取付けられ、先端側に向かって、前記継手パイプの軸線を中心とする円錐状の光を発する照明部と、
を含んで構成される、コンクリート締め固め用バイブレータ。
【請求項２】
前記照明部は、前記継手パイプの回りに配置される環状の光源と、前記光源の周囲を覆う円錐状の傘部と、を含んで構成されることを特徴とする、請求項１記載のコンクリート締め固め用バイブレータ。
【請求項３】
前記照明部は、前記継手パイプと前記外部ホースとの接続部に着脱可能に取付けられることを特徴とする、請求項１又は請求項２記載のコンクリート締め固め用バイブレータ。
【請求項４】
請求項１〜請求項３のいずれか１つに記載のコンクリート締め固め用バイブレータを用い、前記振動部を打設中のコンクリート内に挿入して、コンクリートを締め固める工程中に、
打設中のコンクリート表面に前記照明部により形成される照射円の径を検知し、これに基づいて、打設中のコンクリート内への前記振動部の挿入長を推測する工程を含むことを特徴とする、コンクリート締め固め方法。
【発明の詳細な説明】
【技術分野】
【０００１】
本発明は、コンクリート締め固め用バイブレータに関し、特に照明付きバイブレータに関する。
【背景技術】
【０００２】
この種のバイブレータは、コンクリートの打設時に、コンクリートを均して、締め固めるために使用される。
【０００３】
また、特許文献１は、バイブレータ先端側の振動部（バイブレータ本体）の後端、又は、振動部の後端に接続される可撓性のホース（防護部材）の中間に、照明部を設けることを開示している。
【０００４】
特許文献１に記載の照明部は、バイブレータが比較的暗い環境で使用される場合に、振動部の近傍のコンクリートの状態を容易に確認すると共に、振動部がコンクリート中にどれだけ埋没しているかを容易に確認するためのものであると説明されている。
【先行技術文献】
【特許文献】
【０００５】
【特許文献１】特開平５−１７９８０５号公報
【発明の概要】
【発明が解決しようとする課題】
【０００６】
しかしながら、特許文献１に記載の照明部は、振動部の後方にて、ホースの中心部からその周囲を照明するものであり、光源がホースの中心にあり、振動部に向かって照射するものではないため、照明部の回りが全体的に明るくなるだけで、必ずしも振動部が視認可能とならない。
【０００７】
また、コンクリート打設場所に作業者が近づくことができず、打設場所のかなり上方から、バイブレータを吊り下ろして作業する場合、たとえ振動部を照明できたとしても、上から見ただけでは、振動部がコンクリート内に挿入されているか、更に、どの程度挿入されているのかについては、判別できない。
【０００８】
本発明は、このような実状に鑑み、バイブレータの振動部を確実に照明でき、振動部の挿入長の推定も容易に行うことができる照明付きバイブレータを提供することを課題とする。
【課題を解決するための手段】
【０００９】
本発明に係るコンクリート締め固め用バイブレータは、
先端側の振動部と、
前記振動部に防振継手を介して接続されて前記振動部を支持する継手パイプと、
前記継手パイプの後端部に接続される可撓性の外部ホースと、
前記継手パイプ回りに取付けられ、先端側に向かって、前記継手パイプの軸線を中心とする円錐状の光を発する照明部と、
を含んで構成される。
【００１０】
本発明に係るコンクリート締め固め方法は、上記のコンクリート締め固め用バイブレータを用い、前記振動部を打設中のコンクリート内に挿入して、コンクリートを締め固める工程中に、打設中のコンクリート表面に前記照明部により形成される照射円の径を検知し、これに基づいて、打設中のコンクリート内への前記振動部の挿入長を推測する工程を含むことを特徴とする。
【発明の効果】
【００１１】
本発明によれば、照明部が先端側に向かって円錐状の光を発する構成のため、振動部を確実に照明することができるのみならず、打設中のコンクリート表面に照明部により形成される照射円の径を知ることで、振動部の挿入長を推測可能となる。
従って、打設中のコンクリート内の最適位置に振動部を位置させることができ、締め固め作業を確実なものとすることができる。
【図面の簡単な説明】
【００１２】
【図１】本発明の一実施形態として示す照明付きバイブレータの側面図
【図２】図１のＡ−Ａ矢視部の拡大図
【図３】照明付きバイブレータの使用状態の説明図
【図４】本発明を用いて構築する例として示す箱桁橋の説明図
【図５】図４のＢ方向から見た箱桁ブロックの断面図
【図６】箱桁ブロック打設時のコンクリート締め固め方法を示す図
【図７】参考例として示す照明付きバイブレータの側面図
【発明を実施するための形態】
【００１３】
以下、本発明の実施の形態について、詳細に説明する。
図１は本発明の一実施形態として示す照明付きバイブレータの側面図、図２は図１のＡ−Ａ矢視部の拡大図である。
【００１４】
図１に示すコンクリート締め固め用バイブレータ１０は、先端側から順に、振動部１、防振継手２、継手パイプ（延長パイプ）３、照明部４、外部ホース５、電源スイッチ部６、及び、電源コード７を備えている。
【００１５】
振動部１は、打設中の流動状態のコンクリートに振動を与え、コンクリートを均して、締め固めるもので、例えば４０ｃｍ〜５０ｃｍ程度の長さを有する棒状の振動体からなり、電源コード７からの高周波電流により駆動されて振動する。振動部１の先端には、必要により、フィン１ａが設けられる。
【００１６】
防振継手２は、振動部１の振動を継手パイプ３側に伝えないようにするもので、振動部１と継手パイプ３との間に介装され、長手方向中間部に防振ゴム２ａを有している。
【００１７】
継手パイプ３は、例えば０．５ｍ〜２ｍ程度の長さを有する剛性パイプであり、振動部１の後端に防振継手２を介して接続されて、振動部１を支持している。
【００１８】
照明部４は、継手パイプ３と外部ホース５との接続部に取付けられている。詳しくは、照明部４は環状に形成されて、継手パイプ３の後端部外周に嵌合されると共に、照明部４の後端の内周側の一部が、継手パイプ３と外部ホース５との接続部に、これらの間に挟持されて、取付けられている。
【００１９】
従って、継手パイプ３と外部ホース５との接続時に照明部４を取付け可能、継手パイプ３と外部ホース５との脱離時に照明部４を取外し可能であることから、照明部４は着脱可能である。照明部４の詳細については後述する。
【００２０】
外部ホース５は、例えば４ｍ程度の長さを有する可撓性ホースであり、継手パイプ３の後端部に接続されている。外部ホース５は、可撓性を有することから、巻いた状態でコンパクトに持ち運ぶことができる一方、真っ直ぐに伸ばして、バイブレータ（振動部１）の吊り下げ及び吊り上げなどに用いることができる。
【００２１】
電源スイッチ部６は、外部ホース５の後端に設けられている。そして、電源スイッチ部６の後端側から電源コード７が導出されている。
【００２２】
電源コード７は、振動部１へ高周波電流を供給するためのもので、図外の端部には電源プラグが設けられ、図示しない高周波インバータに接続されるようになっている。
【００２３】
そして、電源コード７は、電源スイッチ部６を経て、防護用の外部ホース５、継手パイプ３及び防振継手２の内部に引き通され、振動部１に接続されている。
【００２４】
ここにおいて、電源スイッチ部６は、作業者のスイッチ操作に基づき、振動部１への給電をオンオフすることができる。
また、電源コード７は、適所で、例えば継手パイプ３と外部ホース５との接続部などで、コネクタによりつなぎ合わせる構成として、組み立ての容易化を図っている。
【００２５】
次に、照明部４について、図１及び図２により、更に詳しく説明する。
照明部４は、継手パイプ３の回りに配置される環状の光源４１と、光源４１の周囲を覆う円錐状（円錐台状）の傘部４２と、を含んで構成され、振動部１の先端側に向かって、継手パイプ３の軸線を中心とする円錐状の光（円錐ビーム）ＬＴを照射する。
【００２６】
環状の光源４１は、複数のＬＥＤ電球４１ａを周方向に所定の間隔で配置してなる。
更に詳しくは、傘部４２内に継手パイプ３の軸線と直交するように配置される環状の反射板４１ｂの板面に、周方向に所定の間隔で複数の丸穴をあけ、各丸穴からＬＥＤ電球４１ａを露出させてなる。
傘部４２の円錐状の内面についても反射板により形成してある。
【００２７】
本実施形態では、照明部４は、継手パイプ３の後端部、すなわち、継手パイプ３と外部ホース５との接続部に、これらの間に一部を挟み込んで、取付けられる。
しかし、これに限るものではなく、剛性を有する継手パイプ３上であれば、継手パイプ３の長手方向の任意の位置に、照明部４を取付けることができる。
【００２８】
この場合に、傘部４２の後端側に、抱き締め固定部（締め付け操作により縮径させることができる固定部）を設けることで、簡単に、照明部４を継手パイプ３の長手方向に位置調整可能に取付けることができる。
【００２９】
図３は照明付きバイブレータの使用状態の説明図である。
図３は、２回打ちの例で、下層コンクリートを４０〜５０ｃｍ程度の高さＨ１まで打設した後、３０分位おいて、上層コンクリートを同じく４０〜５０ｃｍ程度の高さＨ２まで打設する場合に、上層コンクリートの中間位置まで打設が進んだ状態を示している。
【００３０】
この場合、作業者は、打設場所の上方から、外部ホース５の適当な位置を持って、振動部１を自重で吊り下げ、振動部１の先端側を打設中のコンクリート内に所定長Ｌ１挿入するようにする。
【００３１】
このときの挿入長Ｌ１は、下層コンクリートと上層コンクリートとの境界（打継ぎ部）を締め固めたいという要求から、前記境界から下層コンクリート内に１０ｃｍ程度（図示Ｌ２）貫入するように、決定されるのが望ましい。
【００３２】
従って、振動部１を吊り下げている作業者は、コンクリート内への実際の挿入長Ｌ１を確認しながら、補助の作業者に電源スイッチのオンオフを指示して、振動部１を振動させることで、コンクリートの締め固めを行う。
【００３３】
このとき、照明部４をオンとすることで、照明部４から光がスポットライト的に円錐状に投光され、打設中のコンクリートの表面を円形に照らす。この照射円（光輪）の径Ｄは、挿入長Ｌ１が大きくなるに従って、小さくなる。従って、照明の広がり範囲から、振動部１の挿入長を把握することができる。
【００３４】
より詳しく説明すれば、予め、振動部１の先端を何かの表面に真っ直ぐに当接させて照明部４をオンしたときの当該表面上での照射円の径を基準径（挿入長０のときの照射円の径）として測定しておけば、実際のコンクリート表面上での照射円の径Ｄが前記基準径より小さくなったことから、振動部１がコンクリート内に挿入されたことを検知でき、更に、実際の照射円の径Ｄと前記基準径との比較で、挿入長Ｌ１を推測できる。また、予め、照射円の径Ｄと挿入長Ｌ１との換算テーブルなどを作成しておけば、より簡単に推測できる。
【００３５】
従って、照射円の径Ｄを確認しながら、これが所定の範囲内となるようにすることで、振動部１の挿入長Ｌ１を所定の範囲内にコントロールすることができ、最適な状態で締め固め作業を進めることができる。
【００３６】
ここで、照射円の径（照明の広がり範囲）Ｄについては、照射される鉄筋の本数などから検知・推測することができる。型枠内に配置される鉄筋のピッチは、予め定められている（例えば１２５ｍｍ）からである。
【００３７】
あるいは、照射円の径が所定の範囲内に入っていることを確認するため、継手パイプ３の後端部、本実施形態では、照明部４と同位置でその周囲に環状照門などを設け、その環状照門内に照射円が入っていることを確認することで、挿入長が所定の範囲内であることを確認するようにしてもよい。すなわち、何らかの照準器あるいは視準器を用いることがある。
【００３８】
上記のように、バイブレータの振動部１を打設中のコンクリート内に挿入して、コンクリートを締め固める工程中に、打設中のコンクリート表面に照明部４により形成される照射円の径Ｄを検知し、これに基づいて、打設中のコンクリート内への振動部１の挿入長Ｌ１を推測する工程を含むことにより、コンクリートの締め固めをより確実なものとすることができる。
【００３９】
バイブレータが締め固めることができる範囲（表面が平らになる範囲）は、振動部１が貫入している部分を中心とする半径５０ｃｍ程度の範囲である。従って、振動部１を１箇所に貫入して締め固めた後は、５０ｃｍ以下の間隔で貫入位置を変えて、締め固めを続けることになる。
【００４０】
次に、本発明に係る照明付きバイブレータを用いることが極めて有効な作業現場について、図４〜図６により説明する。
【００４１】
図４は本発明を用いて構築する例として示す箱桁橋の説明図である。
本例では、基礎１０１の上に橋脚１０２を構築し、橋脚１０２の上に柱頭部１０３を構築した後、柱頭部１０３の両側に、継ぎ足す形で（張出架設後方で）、所定長（例えば４ｍ）ずつ、橋梁の主桁として、箱桁ブロック１０４、１０４、・・・をコンクリートの現場打設により構築する。そして、最終的には、かかる構築物を、図外の左右の同様な構築物とつなげて、橋梁を構築する。
【００４２】
図５は図４のＢ方向から見た箱桁ブロック１０４の断面図である。
箱桁ブロック１０４は、上下の床版と左右のウェブとからなり、橋桁の内部が空洞となるように、箱状断面を呈している。車は箱の上を通り、箱の中は橋の点検を行う時などに人が入れるようになっている。
【００４３】
かかる箱桁ブロック１０４は、場所打ち、すなわち、箱桁を形成するところにワーゲン等により支持して型枠を組んで、コンクリートを打ち込むことにより、形成する。また、プレストレストコンクリート用のＰＣ鋼材は、空洞部を通して柱頭部１０３の左右の箱桁ブロック１０４、１０４に連結し、緊張力を与える。
【００４４】
箱桁ブロック１０４の高さ方向の寸法Ｈは、１０ｍ〜４ｍ、すなわち柱頭部１０３に近いブロックでは１０ｍ程度あるが、柱頭部１０３から最も離れたブロックでは４ｍ程度となる。
また、箱桁ブロック１０４の壁厚ｔは、１．０ｍ〜０．３ｍ、すなわち柱頭部１０３に近いブロックでは１．０ｍ程度あるが、柱頭部１０３から最も離れたブロックでは０．３ｍ程度となる。
【００４５】
また、図５には、箱桁ブロック１０４のコンクリート打設順序を丸付き数字１〜８で示している。
ここで、例えば丸付き数字１のウェブハンチ部又は丸付き数字４のウェブ部のコンクリートの打設は、ワーゲン等により支持される外型枠、これに対向して配置される内型枠、及び、適宜の妻型枠を用いて、行われる。
【００４６】
従って、柱頭部１０３に近い箱桁ブロック１０４では、壁厚ｔが１．０ｍ程度あるので、型枠内に入って作業することも可能であるが、柱頭部１０３から遠い箱桁ブロック１０４では、壁厚ｔが０．３ｍ程度しかなく、型枠内に入って作業することは不可能である。
【００４７】
このため、作業者は、図６に示すように、箱桁ブロック１０４の上側の足場からバイブレータを吊り下ろして、締め固め作業を実施せざるを得ない。
このような施工上の制約がある場合に、本発明に係る照明付きバイブレータ１０を用いることで、コンクリートの締め固め作業を効果的かつ効率的に行うことができる。
【００４８】
また、本発明に係る照明付きバイブレータ１０は、照明部４が振動部１側、すなわちコンクリート表面側を指向しているので、コンクリート表面をより明るく照らすことができ、閉所であっても、コンクリートが万遍なく流れているか否かの確認などを容易に行うことができる。
【００４９】
尚、図１〜図６に示した実施形態はあくまで本発明を例示するものであり、本発明は、説明した実施形態により直接的に示されるものに加え、特許請求の範囲内で当業者によりなされる各種の改良・変更を包含するものであることは言うまでもない。
【００５０】
次に、照明付きバイブレータの参考例について、図７により説明する。
図７の照明付きバイブレータ１０’は、図１のものと同様に、振動部１、防振継手２、継手パイプ３、外部ホース５、電源スイッチ部６及び電源コード７を備える。
【００５１】
照明部としては、ＬＥＤテープ４００を用い、これを、継手パイプ３の外周面、防振継手２の外周面、及び、振動部１の後端側（コンクリート中に挿入しない部分）の外周面のうち、すくなくとも１つに、巻付けてある。特に図７では、ＬＥＤテープ４００を継手パイプ３の外周面（比較的先端側の外周面）に螺旋状に巻付けてある。但し、巻付け方はこれに限るものではない。
【００５２】
ＬＥＤテープ４００は、ＬＥＤ素子をテープ上に配列したもので、市販の製品（例えば浦崎株式会社販売の「ＬＥＤテープライト」）を使用することができる。また、発色についても各種のものがあり、選択して又は組み合わせて採用することができる。
【００５３】
このようなＬＥＤテープ４００を用いる場合、既存のコンクリート締め固め用バイブレータに、外付けで、照明部を設けることができる。
外付けの場合、ＬＥＤテープ４００への電源コードは、継手パイプ３及び外部ホース５に沿わせて設ければよい。
【００５４】
本参考例の課題は、特許文献１に記載の照明付きバイブレータに対し、より簡単な外付け方式で、照明付きバイブレータを実現することにある。
【００５５】
本参考例のコンクリート締め固め用バイブレータ（１０’）は、上記の課題を解決するため、
先端側の振動部（１）と、
前記振動部（１）に防振継手（２）を介して接続されて前記振動部（１）を支持する継手パイプ（３）と、
前記継手パイプ（３）の後端部に接続される可撓性の外部ホース（５）と、
前記継手パイプ（３）の外周面、前記防振継手（２）の外周面、及び、前記振動部（１）の後端側（コンクリート中に挿入しない部分）の外周面のうち、すくなくとも１つに巻付けられたＬＥＤテープ（４００）と、
を含んで構成される。
【００５６】
本参考例は、上記の構成とすることで、既存のコンクリート締め固め用バイブレータを簡単な外付け方式で、照明付きバイブレータとすることができる。しかも、ＬＥＤテープを用いることで、簡単に、より明るい照度を得ることができる。
【符号の説明】
【００５７】
１  振動部
１ａ  フィン
２  防振継手
２ａ  防振ゴム
３  継手パイプ
４  照明部
５  外部ホース
６  電源スイッチ部
７  電源コード
１０  コンクリート締め固め用バイブレータ（照明付きバイブレータ）
４１  環状の光源
４１ａ  ＬＥＤ電球
４１ｂ  反射板
４２  傘部
１０１  基礎
１０２  橋脚
１０３  柱頭部
１０４  箱桁ブロック
【図１】
2020122360.tif 000003
【図２】
2020122360.tif 000004
【図３】
2020122360.tif 000005
【図４】
2020122360.tif 000006
【図５】
2020122360.tif 000007
【図６】
2020122360.tif 000008
【図７】
2020122360.tif 000009